(57)【要約】【課題】スクラビングする回数を予め定められた回数ではなく、樹脂を洗浄した洗浄液の濁度を計測することで、不純物の含有量に応じた最適な回数でスクラビングを実施することができ、その後樹脂再生を円滑に実施する。【解決手段】発電所等の復水配管系統に設備する復水脱塩装置１を構成する脱塩塔２に充填しているイオン交換樹脂を再生する際に、イオン交換樹脂を再生塔３へ移送する前に、このイオン交換樹脂をスクラビング（洗浄）し、その洗浄した洗浄液の濁度を濁度計５で計測し、その濁度が基準値以下になるまでこのイオン交換樹脂のスクラビングを繰り返す。【選択図】図２
2010099613.tif 000002
【特許請求の範囲】
【請求項１】
発電所等の復水配管系統に設備する復水脱塩装置（１）を構成する脱塩塔（２）に充填しているイオン交換樹脂を再生する際に、
イオン交換樹脂を再生塔（３）へ移送する前に、このイオン交換樹脂をスクラビングし、
その洗浄した洗浄液の濁度を計測し、その濁度が基準値以下になるまでこのイオン交換樹脂のスクラビングを繰り返す、ことを特徴とする復水脱塩装置におけるイオン交換樹脂の洗浄方法。
【請求項２】
発電所等の復水配管系統に設備する、イオン交換樹脂を充填した脱塩塔（２）を備えた復水脱塩装置（１）であって、
前記脱塩塔（２）と、イオン交換樹脂を再生する再生塔（３）との間に配置した、イオン交換樹脂を洗浄する洗浄機（６）と、
前記洗浄機（６）の排水系統に取り付けた、洗浄液の濁度を計測する濁度計（５）と、を備えた、ことを特徴とする復水脱塩装置におけるイオン交換樹脂の洗浄装置。
【発明の詳細な説明】
【技術分野】
【０００１】
本発明は、発電所の復水配管系統に設備する復水脱塩装置の洗浄技術に係り、特に脱塩塔に充填するイオン交換樹脂が劣化したときに薬品で再生する前に不純物を除去する復水脱塩装置におけるイオン交換樹脂の洗浄方法及びその装置に関する。
【背景技術】
【０００２】
復水脱塩装置は、発電所等の復水配管系統において復水中の不純物イオン、鉄、銅などの金属腐食生成物を除去するために設けられている。復水脱塩装置には、イオン交換樹脂を充填した複数の脱塩塔を設けている。各脱塩塔に充填するイオン交換樹脂は、アニオン交換樹脂とカチオン交換樹脂との混床から成る。このイオン交換樹脂が劣化し、又は樹脂の交換容量が飽和して寿命になると、処理する復水の水質を所定の管理基準値以内に維持することができない。そこで、長期間使用した樹脂は、定期的に樹脂量を測定して樹脂の再生あるいは補充を行なっている。
【０００３】
例えば、図３の樹脂再生のフロー図に示すように、復水脱塩装置は通水量が定体積になると装置を停止して再生塔へ樹脂を移送して薬品による再生を実施し、既に貯槽塔に貯めておいた再生済みの樹脂と入れ替えている。このとき、薬品による再生を実施する前に、樹脂を洗浄して不純物を除去するスクラビングを行なう。復水脱塩装置の樹脂再生の際に、ユニット起動、停止パターンや通常運転でボイラ補給水中の不純物量がそれぞれ異なるので、このスクラビングの実施回数はその都度変更している。
【０００４】
このような復水脱塩装置の洗浄、再生方法に関する技術として、例えば特許文献１の特開２００５−２９６７４８公報「復水脱塩装置とその再生方法」に示すように、薬品再生が必要になったイオン交換樹脂は、分離壁で区分されたそれぞれの樹脂層に設置されている樹脂抜出管により、水及び／又は空気によりカチオン樹脂はカチオン樹脂再生塔に、また、アニオン樹脂はアニオン樹脂再生塔に直接移送され、それぞれ通薬再生されて洗浄された後、直接、水及び／又は空気により前記抜出された分離壁で区分された樹脂層に返送される復水脱塩装置の再生方法が提案されている。
【特許文献１】特開２００５−２９６７４８公報
【発明の開示】
【発明が解決しようとする課題】
【０００５】
しかし、ボイラ補給水の不純物を通常ユニットの運転中と起動・停止によりスクラビングする回数を変更することにより樹脂に付着している不純物を洗浄する方法では、実際の洗浄効果の判断は困難であった。ユニットの起動・停止の頻度増加によりスクラビングの回数の変更を頻繁に行っていた。そこで、復水脱塩装置内の樹脂からクラッド等の不純物が十分除去されていないという問題を有していた。
【０００６】
スクラビング工程が不十分で樹脂の洗浄効果が低いと、最悪の場合は塔内抵抗が大きくなり、定格通水流量を確保できないことがあった。定体積で復水脱塩装置を停止して再生を行う際に、通水中の復水脱塩装置が最大通水流量を超え、塔内圧上昇による不具合も生じやすいという問題を有していた。
【０００７】
本発明は、かかる問題点を解決するために創案されたものである。すなわち、本発明の目的は、スクラビングする回数を予め定められた回数ではなく、樹脂を洗浄した洗浄液の濁度を計測することで、不純物の含有量に応じた最適な回数でスクラビングを実施することができ、その後樹脂再生を円滑に実施することができる復水脱塩装置におけるイオン交換樹脂の洗浄方法及びその装置を提供することにある。
【課題を解決するための手段】
【０００８】
本発明の方法によれば、発電所等の復水配管系統に設備する復水脱塩装置（１）を構成する脱塩塔（２）に充填しているイオン交換樹脂を再生する際に、イオン交換樹脂を再生塔（３）へ移送する前に、このイオン交換樹脂をスクラビングし、その洗浄した洗浄液の濁度を計測し、その濁度が基準値以下になるまでこのイオン交換樹脂のスクラビングを繰り返す、ことを特徴とする復水脱塩装置におけるイオン交換樹脂の洗浄方法が提供される。
【０００９】
本発明の装置によれば、発電所等の復水配管系統に設備する、イオン交換樹脂を充填した脱塩塔（２）を備えた復水脱塩装置（１）であって、前記脱塩塔（２）と、イオン交換樹脂を再生する再生塔（３）との間に配置した、イオン交換樹脂を洗浄する洗浄機（６）と、前記洗浄機（６）の排水系統に取り付けた、洗浄液の濁度を計測する濁度計（５）と、を備えた、ことを特徴とする復水脱塩装置におけるイオン交換樹脂の洗浄装置が提供される。
【発明の効果】
【００１０】
上記構成の発明では、イオン交換樹脂を再生する際に、スクラビングを最適な回数で実施することができる。従来のようなスクラビングの回数の変更忘れを回避でき、再生使用水量を低減することができる。不純物体積による復水脱塩装置（１）の不具合を解消することができる。即ち、装置停止時における他の脱塩装置（１）への通水量増加を防止することができる。
【発明を実施するための最良の形態】
【００１１】
本発明の復水脱塩装置におけるイオン交換樹脂の洗浄方法は、発電所等の復水配管系統に設備する復水脱塩装置を構成する脱塩塔に充填しているイオン交換樹脂を再生する際に、イオン交換樹脂を再生塔へ移送する前に、このイオン交換樹脂をスクラビングし、その洗浄した洗浄液の濁度を計測し、その濁度が基準値以下になるまでこのイオン交換樹脂のスクラビングを繰り返す方法である。
【実施例１】
【００１２】
以下、本発明の好ましい実施の形態を図面を参照して説明する。
図１は本発明の復水脱塩装置におけるイオン交換樹脂の洗浄装置を示す全体構成図である。図２は復水脱塩装置におけるイオン交換樹脂の洗浄方法を説明する作業工程フロー図である。
本発明のイオン交換樹脂の洗浄方法を実施する復水脱塩装置１は、火力発電所、原子力発電所等に設備される復水器からの復水を、復水ポンプにより復水濾過装置を経た後に供給される設備である。こめ復水脱塩装置１により脱塩処理された復水は、ボイラ又は原子炉等に供給される。
【００１３】
復水脱塩装置１は、複数基の脱塩塔２を並べ、通常運転時には全脱塩塔２に並列に通水される。各脱塩塔２には、混合床と称されるアニオン交換樹脂とカチオン交換樹脂の混合した樹脂を充填している。
【００１４】
このように構成した復水脱塩装置１では通水量が定体積になると、復水脱塩装置１を停止して、該当する脱塩塔２から樹脂を抜き取り、再生塔３へ移送して薬品により再生する。再生が完了した樹脂は貯槽塔４に貯めておく。脱塩塔２に充填していた樹脂と入れ替えるこのときは、この脱塩塔２から劣化した樹脂を抜き取り、この樹脂を再生塔３へ移送して薬品により再生する。この空になった脱塩塔２には既に貯槽塔４に貯めておいた樹脂を充填して入替えを完了する。
【００１５】
脱塩塔２と再生塔３との間に、イオン交換樹脂をスクラビング（洗浄）する洗浄機６を配置した。この洗浄機６ではイオン交換樹脂の不純物を除去する。この洗浄機６の排水系統に、洗浄液の濁度を計測する濁度計５を取り付けた。この濁度計５には、例えばボイラ水質監視等で使用している濁度計を使用する。
【００１６】
このイオン交換樹脂を再生する際、イオン交換樹脂を再生塔３へ移送する前に、このイオン交換樹脂の洗浄液の濁度を濁度計５で計測し、その基準値以下になるまでスクラビングを繰り返し、イオン交換樹脂の不純物を除去する。
【００１７】
この濁度計５でスクラビング後の洗浄液の濁度を計測することにより、この濁度の計測値が基準値以下になれば、スクラビングを終了する。逆に、この濁度の計測値が基準値以下にならないときは更にスクラビングを繰り返す。
【００１８】
このように、濁度計５の計測結果に基づいてスクラビングの回数を決定するので、スクラビングを最適な回数で実施することができ、再生使用水量を低減することができる。
【００１９】
なお、本発明は、スクラビングする回数を予め定められた回数ではなく、樹脂を洗浄した洗浄液の濁度を計測することで、不純物の含有量に応じた最適な回数でスクラビングを実施することができ、その後樹脂再生を円滑に実施できる方法又は装置であれば、上述した実施例に限定されず、本発明の要旨を逸脱しない範囲で種々変更できることは勿論である。
【産業上の利用可能性】
【００２０】
本発明の復水脱塩装置におけるイオン交換樹脂の洗浄方法及びその装置は、火力発電所、原子力発電所等の復水配管系統に設けられる復水脱塩装置以外に、その他の種々のプラントにおける脱塩装置に利用することができる。
【図面の簡単な説明】
【００２１】
【図１】本発明の復水脱塩装置におけるイオン交換樹脂の洗浄装置を示す全体構成図である。
【図２】復水脱塩装置におけるイオン交換樹脂の洗浄方法を説明する作業工程フロー図である。
【図３】従来のイオン交換樹脂の洗浄方法を説明する作業工程フロー図である。
【符号の説明】
【００２２】
１  復水脱塩装置
２  脱塩塔
３  再生塔
４  貯槽塔
５  濁度計
６  洗浄機
【図１】
2010099613.tif 000003
【図２】
2010099613.tif 000004
【図３】
2010099613.tif 000005